(57)【要約】フィルムをアーカイブするシステム及び方法は、アーカイブストレージのリールでアナログフィルムコンテンツを含むフィルム特性を含む。フィルムコンテンツのうちのＮ個の部分は、基準に基づいて形成される。単一のメディアでのフィルムの全体のレコードを表すアナログ及びデジタルデータのハイブリッドをフィルムが含むように、Ｎ個の部分は、デジタルに記憶されるメタデータを含む。
2008544695.tif 000002
【特許請求の範囲】
【請求項１】
フィルムコンテンツをＮ個の部分に分割するステップと、
フィルムのＮ個の部分の少なくとも１つについて、その部分についての単一のメディアのフィルムのレコードを表すアナログ及びデジタルデータを含むメタデータをデジタルで記憶するステップと、
を含むフィルムをアーカイブする方法。
【請求項２】
前記フィルムのＮ個の部分を決定するステップは、前記フィルムを等しいセグメントの長さに分離するステップを含む、
請求項１記載の方法。
【請求項３】
フィルムメディアに記憶されるメタデータの量を決定し、前記メタデータを部分に分割し、Ｎ個の部分の利用可能な記憶容量に従ってフィルムのＮ個の部分にわたり前記メタデータを分散させるステップを更に含む、
請求項１記載の方法。
【請求項４】
それぞれのヘッダを複数のＮ個の部分に加えるステップを更に含み、前記ヘッダは、それぞれ対応する部分についてメタデータを含む、
請求項１記載の方法。
【請求項５】
メタデータをデジタルで記憶するステップは、サウンド、サブタイトル、キャプション、編集判定リスト（ＥＤＬ）、色空間、色判定リスト（ＣＤＬ）、視覚作用に関連する情報、他のフィルムに関連する情報のうちの少なくとも１つについてデータをデジタルで記憶するステップを含む、
請求項１記載の方法。
【請求項６】
アーカイバルストレージのためにリールにアナログフィルムコンテンツを含むフィルムリールを提供するステップは、フィルムを複数のカラー又はシェーディング成分のリールに分離するステップを含む、
請求項１記載の方法。
【請求項７】
少なくとも１つの成分のリールは部分に分割され、メタデータは、データ編制方法に従って成分のリールのそれぞれに加えられる、
請求項６記載の方法。
【請求項８】
Ｎ個の部分のうちの少なくとも１つは、フィルムの長さの一部を含み、最終画像、画像の色成分、フィルムの長さのメタデータを更に含む、
請求項１記載の方法。
【請求項９】
フィルムの長さ、ランタイム及びシーンのうちの１つに基づいて、アナログの特徴をＮ個の部分に分割するステップと、
色成分の画像をＮ個の部分のうちの少なくとも１つに供給するステップと、
Ｎ個の部分について、その部分について色成分画像を組み込み、アーカイバルストレージのためにその部分について単一のメディアのフィルムのレコードを表すアナログ及びデジタルデータを含むフィルムの対応する部分についてメタデータをデジタルで記憶するステップと、
を含むフィルムをアーカイブする方法。
【請求項１０】
前記組み込むステップは、色成分画像から個別のエリアにおいてリールに保持されるデジタル及びアナログデータの系列を含むそれぞれの部分のリールを供給するステップを含む、
請求項９記載の方法。
【請求項１１】
メタデータを記憶するステップは、サウンド、サブタイトル、キャプション、編集判定リスト（ＥＤＬ）、色空間、色判定リスト（ＣＤＬ）、視覚効果に関連する情報、他のフィルムに関連する情報のうちの少なくとも１つについてデータをデジタルで記憶するステップを含む、
請求項９記載の方法。
【請求項１２】
その部分の全ての色成分及びその部分の全てのメタデータが同じリールに含まれるように、少なくとも１つの色成分のリールは部分に分割され、メタデータはデータ編制に従って成分のリールのそれぞれに加えられる、
請求項９記載の方法。
【請求項１３】
Ｎ個の部分のうちの少なくとも１つは、フィルムの長さの一部を含み、最終画像、画像の色成分、フィルムの長さのメタデータを更に含む、
請求項９記載の方法。
【請求項１４】
Ｎ個の部分のうちの少なくとも１つは、フィルムの長さの一部を含み、最終画像、画像の色成分、フィルムの長さのメタデータを更に含む、
請求項９記載の方法。
【請求項１５】
フィルムをアーカイブするシステムであって、
フィルムの長さ、ランタイム及びシーンのうちの１つに基づいて、記憶されたアナログの特徴をＮ個の部分に分割するために構成される編集装置と、
Ｎ個の部分のうちの少なくとも１つについての色成分画像を、アーカイバルストレージのためにその部分について単一のメディアのフィルムの全体のレコードを表すアナログ及びデジタルデータを含むフィルムの対応する部分についてデジタルメタデータと統合するために構成される結合装置とを有するシステム。
【請求項１６】
それぞれの部分のフィルムのリールは、色成分画像から個別のエリアにおけるリールに保持されるデジタル及びアナログデータのハイブリッド系列を含む、
請求項１５記載のシステム。
【請求項１７】
前記デジタルメタデータは、サウンド、サブタイトル、キャプション、編集判定リスト、色空間、色判定リスト、視覚効果に関連する情報、他のフィルムに関連する情報のうちの少なくとも１つを含む、
請求項１５記載のシステム。
【請求項１８】
前記記憶されたアナログの特徴は、複数の色成分のリールを含み、それぞれの色成分のリールは、Ｎ個の部分に対応する部分に分割され、メタデータは、Ｎ個の部分に対応する部分に分割され、前記色成分及びメタデータは、その部分についての全ての色成分及びその部分についての全てのメタデータが同じリールに含まれるように、データ編制方法に従って同じリールに加えられる、
請求項１５記載のシステム。
【請求項１９】
Ｎ個の部分の少なくとも１つは、約１０分の特徴を含む、
請求項１５記載のシステム。
【請求項２０】
前記特徴は、編集判定リストを含み、前記編集装置は、前記編集判定リストを利用して、該特徴をＮ個の部分に分割する、
請求項１５記載のシステム。
【発明の詳細な説明】
【技術分野】
【０００１】
本発明は、フィルムメディア全般に関し、より詳細には、アナログフレーム画像とデジタルデータのハイブリッドの組み合わせがフィルムのリールで編制されるシステム及び方法に関する。  
本出願は、２００６年６月２７日に出願された米国仮出願シリアル番号６０／６９４６１１の利益を請求するものであり、引用によりその完全な形で本明細書に盛り込まれる。
【背景技術】
【０００２】
映画産業は、コンテンツを記録するためにアナログメディアを従来利用している。３５ｍｍフィルムのようなアナログメディアは、時間につれて衰える。時間につれての衰えは、画像及び音声の品質における低下となる。長期間の映画メディアの記憶は、問題を解決することが困難となっている。長期間のアーカイブの状況は、アナログの世界で部分的に解決されているが、完全な映画のレンダリングを提供するために再結合される映画の色分離されたバージョンを使用する。
【０００３】
たとえば、黄、シアン及びマゼンダ（ＹＣＭ）といった３つの色成分のリールが生成され、個別に記憶され、再生が必要とされるときに単一のリールに再結合される。これは、部分的なソリューションでしかない。これは、長期間の音声のアーカイブを提供せず、視覚的な効果技術を使用して益々多くの特徴のシーンが撮影され、映画において、ネガティブフィルムで主に撮影されるバックグランドプレートへの追加として色及び明るさパラメータのようなキャラクタに埋め込まれたキーレンダリング情報を失わせるためである。
【発明の開示】
【発明が解決しようとする課題】
【０００４】
したがって、画像、音声及びレンダリング情報におけるフィルム特性の長期間の品質低下に対処するための必要が存在する。
【課題を解決するための手段】
【０００５】
フィルムをアーカイブするシステム及び方法は、フィルムコンテンツをＮ個の部分に分割する。その部分について単一のメディアのフィルムのレコードを表すアナログ及びデジタルデータを含むフィルムのＮ個の部分の少なくとも１つについて、メタデータをデジタル記憶する。
【０００６】
フィルムをアーカイブする別の方法は、フィルムの長さ、ランタイム及びシーンのうちの１つに基づいて、アナログの特徴をＮ個の部分に分割すること、Ｎ個の部分の少なくとも１つについて色成分画像を提供することを含む。Ｎ個の部分について、色成分画像がその部分について組み込まれ、アーカイブ記憶のためにその部分について単一のメディアのフィルムの全体のレコードを表すアナログ及びデジタルデータを含むフィルムの対応する部分についてメタデータをデジタル記憶する。
【０００７】
フィルムをアーカイブするシステムは、フィルムの長さ、ランタイム及びシーンのうちの１つに基づいて、記憶されたアナログの特徴をＮ個の部分に分割するために構成される編集装置を含む。結合装置は、Ｎ個の部分のうちの少なくとも１つについての色成分画像を、その部分の単一のメディアでのフィルムの全体のレコードを表すアナログ及びデジタルデータを含むフィルムの対応する部分のデジタルメタデータと統合するために構成される。
【０００８】
本発明の利点、性質及び様々な更なる特徴は、添付図面と共に詳細に記載される例示的な実施の形態の考慮に応じて完全なものとなる。図面は本発明のコンセプトを例示する目的である。
【発明を実施するための最良の形態】
【０００９】
本発明は、（たとえば、オリジナルネガティブ及びショット又は生成されたバックグランド、ビジュアルエフェクトプレート、最終的に処理された画像等といった）画像をアナログ形式で記憶し、（たとえば音声、サブタイトル、キャプション、ＥＤＬ（ｅｄｉｔ  ｄｅｃｉｓｉｏｎ  ｌｉｓｔｓ）、ＣＤＬ（ｃｏｌｏｒ  ｄｅｃｉｓｉｏｎ  ｌｉｓｔ）、視覚効果に関連する情報等といった）関連するメタデータを同じフィルムにデジタル形式で記憶する方法を提供する。さらに、デジタルデータにとって、シンプル、安定、広く受け入れられており、かつ容易な長期間の回復可能な標準を採用することが好ましい。
【００１０】
多くの利点は、本発明の原理に従って得られる。たとえば、アナログフィルムに音声等のデジタル情報（メタデータ）を提供することで、１つの特定のタイトルに関連する情報が様々なタイプのサポート機器及び全体として異なるロケーションで離れて記録される危険が非常に少ない。メタデータはフィルム自身の一部であるので、リカバリの問題が軽減され、データはデジタルであるので、長期間の記憶で保存することが容易である。
【００１１】
本発明はビデオ記録メディアの観点で記載されることが理解されるが、しかし、本発明は、非常に広く、長期間の保存のためにメディアにデータを記憶可能なアナログ／デジタルシステムを含む場合がある。さらに、本発明は、電話、セットトップボックス、コンピュータ、サテライトリンク等により採取されるデータの記録を含む記録方法に適用される。本発明は、フィルムメーキングアプリケーションの観点で記載されるが、本発明のコンセプトは、磁気テープ、フィルム等の長期間のストレージにより記録プロセスに拡張される場合がある。
【００１２】
図示されるエレメントは、様々な形式のハードウェア、ソフトウェア又はその組み合わせで実現されることが理解される。好ましくは、これらのエレメントは、プロセッサ、メモリ及び入力／出力インタフェースを含む、１以上の適切にプログラムされた汎用装置でハードウェア及びソフトウェアの組み合わせで実現される。
【００１３】
この記載は、本発明の原理を例示するものである。当業者であれば、本明細書で明示的に記載又は図示しないが、本発明の原理を実施するものであって、本発明の精神及び範囲に含まれる様々な装置を考案することができることを理解されたい。
【００１４】
本実施の形態で引用される全ての例及び条件付き言語は、本発明の原理、当該技術を推進するために本発明者により寄与されるコンセプトを理解することにおいて読者を支援する教育的な目的が意図され、係る特に引用される例及び条件への制約がないものとして解釈されるべきである。
【００１５】
さらに、本発明の原理、態様及び実施の形態を参照する全ての説明は、その特定の例と同様に、その構造的及び機能的な等価を包含することが意図される。さらに、係る等価は、現在公知の等価な概念と同様に、将来的に開発される等価な概念、すなわち構造に関わらず、同じ機能を実行するために開発されたエレメントの両者を含むことが意図される。
【００１６】
したがって、たとえば、本実施の形態で与えられるブロック図は、本発明の原理を実施する例示的な回路の概念図を表すことが当業者により理解されるであろう。同様に、任意のチャート、フロー図、状態遷移図、擬似コード等は、コンピュータ読取り可能なメディアで実質的に表され、コンピュータ又はプロセッサが明示的に示されているか否かに関わらず、係るコンピュータ又はプロセッサにより実行される様々なプロセスを表すことが理解される。
【００１７】
図示される様々なエレメントの機能は、適切なソフトウェアに関連してソフトウェアを実行可能なハードウェアを同様に、専用のハードウェアの使用により提供される。プロセッサにより提供されたとき、機能は単一の専用プロセッサにより、単一の共有プロセッサにより、又はそのうちの幾つかが共有される複数の個々のプロセッサにより提供される。さらに、用語「プロセッサ」又は「コントローラ」の明示的な使用は、ソフトウェアを実行可能なハードウェアを排他的に示すために解釈されるべきではなく、限定することなしに、デジタルシグナルプロセッサ（ＤＳＰ）ハードウェア、ソフトウェアを記憶するリードオンリメモリ（ＲＯＭ）、ランダムアクセスメモリ（ＲＡＭ）、及び不揮発性ストレージを含む。
【００１８】
他のハードウェア、従来及び／又はカスタムも含まれる場合がある。それらの機能は、プログラムロジックの動作を通して、専用ロジックを通して、プログラム制御と専用ロジックのインタラクションを通して、又は更にマニュアル的に実行される場合があり、特定の技術は、文脈から更に詳細に理解されるように、実現者により選択可能である。
【００１９】
本発明の請求項では、規定された機能を実行する手段として表現されるエレメントは、たとえばａ）機能を実行する回路エレメント、ｂ）機能を実行するためにソフトウェアを実行する適切な回路で結合される、ファームウェア、マイクロコード等を含む任意の形式のソフトウェアの組み合わせを含めて、機能を実行する任意のやり方を包含することが意図される。係る請求項により定義される本発明は、様々な引用される手段により提供される機能は、請求項が要求するやり方で互いに結合されて、もたらされる事実にある。したがって、それらの機能を提供することができる任意の手段は、本実施の形態で示される手段に等価であるとみなされる。
【００２０】
以下、同じ参照符号が類似又は同じエレメントを識別する添付図面を参照して、はじめに図１を参照して、本発明の例示的な実施の形態を実現する例示的な方法が記載されている。ブロック１０２では、アーカイブされる特徴（ｆｅａｔｕｒｅ）が提供される。この特徴は、既にアーカイブ（色分離等）されているか、アーカイブのための新たな特徴である場合がある。ブロック１０４では、フィルムのパーツ、セグメント又はピースの数の決定が行われる。１つの本発明の原理は、単一媒体の時間長さが何であれ、たとえばフィルムといった１つの単一媒体での特徴の連続する部分を再形成するために必要な全ての画像及びデータを記憶することである。たとえば、１つの１０００フットリールは、約１０分の特徴について、又は記憶媒体の最大容量にずっと少なく依存して、画像だけでなく、音声、サブタイトル、色情報等を含む。
【００２１】
パーツ又はセグメントの数の決定及びセグメントにおけるデータの組織化は、この例では、アーカイブストレージについて、光化学のインターメディエートポジティブ（ＩＰ＝フレーム当たりの３色）又はＹＣＭ分離（黒及び白＝フレーム当たり１色）を利用する現在のプラクティスに従って３５ｍｍの１０００フットリールの使用と互換性があることが好ましい。将来的なフルデジタル（１００％データオンフィルム）アプリケーションに考慮が与えられる。パーツの数Ｎの決定の後、ブロック１０６で、特徴は、Ｎ個のパーツでの記憶のために関連するパーツに分割される。それぞれの個々のパーツは、３５ｍｍフィルムの１つの１０００フットロングリールに記憶することができる全ての動画データ（たとえば画像及びメタデータ）の実際の部分であることが好ましい。１つの例では、Ｎについて最大の値は、フィルムの記憶容量に基づいて到達され、たとえば４Ｋの解像度のフォーマット４：４：４  １６ビット、２４ｆｐｓのシネマスコープ又はスーパー３５ｍｍは、たとえばアーカイブするためにデジタル画像当たり約７５Ｍバイトを記憶する。潜在的に、特徴の終了された画像当たりの幾つかの画像は、フィルムを適切にアーカイブする情報の完全なセットを有するために記憶される必要がある。たとえば、それら正しい色値をもつコンポジット画像の発生されたエレメントは、終了された画像を加え、他のメタデータ（音声、サブタイトル等）を加える。
【００２２】
Ｎは、たとえば約１２（ポジティブカラーストックが使用される場合に現在の光化学記憶方法について、１０００フットリール当たり１パーツ）と最大で約１０２４（たとえばすなわち２５０の４倍、２５０はフレーム当たりに記憶されるデータの１Ｍバイトで４Ｋの解像度の動画を記憶するために必要とされる１０００フットリール（３５ｍｍ、黒及び白）の数である）との間の任意の値を取る場合がある。この最大の１０２４のパーツは、実用的な理由のために決して使用されないが、技術が記憶媒体のフレーム当たりの高いデータ密度（たとえば５ＭＢ／フレーム又はそれ以上）に到達するために利用可能となったとき、パーツの数は、更に大幅に減少し、更に管理可能になり、したがってフルデジタルストレージに近くなる。２５０パーツが終了された動画の画像当たり記憶される唯一の画像で識別された場合、Ｎが２５０であり、動画が約２時間の長さである場合（たとえば２時間／２５０）、平均のパーツの長さは近似的に約３０秒である。
【００２３】
Ｎ個のパーツのそれぞれは、異なるサイズからなる場合がある（たとえば１０００フィートである必要はない）。パーツが同じ長さからなる場合があるが、パーツは、シーン変化又は他の論理的な分離ポイント等を包含するため、正確な同じタイムライン又はフレームカウントレングスを有する必要はない。２時間の特徴について、古典的な光化学ＹＣＭ分離プロセスは、１２＊３＝３６パーツ（リール当たり１２パーツ、３リール）をカウントする。従来のＹＣＭプラクティスと本発明の原理に係る方法の間の差は、それぞれのフィルムパートがフィルムの単一リールでの全ての３つの色成分を好ましくは含むことを含んでいる。これは、光化学のアーカイブプロセスで実用的ではない。言い換えれば、単一の色成分を有する３つのリールのそれぞれの代わりに、１実施の形態によれば、特徴は、全ての３つの色成分、特徴の単一の１０分（又はフィルムの他の長さ）のデジタルメタデータを含む。
【００２４】
ブロック１０８では、メタデータは、フィルムのそれぞれの部分に付加される。メタデータは、音声、色補正情報の編集リスト、色リスト等を含む任意の数のデータタイプを含む。メタデータは、フィルムメディア自身でデータを直接符号化することで、フィルムをアーカイブする時間で追加される。これは、ヘッダ又はテイルセグメントをフィルムに加えるか、フィルム自身でメタデータをデジタルで符号化することで実行される。フィルム上のデジタル情報をエンコードする従来の記録装置は、符号化を実行する予め決定されたデータ編成技術を使用して利用される。
【００２５】
以下の例は、本方法をどのように最適化するか、及び特別の特徴をアーカイブするために必要とされるパーツの数を定義する判定プロセスを例示する。本発明に係るハイブリッドアーカイバルソリューションでは、ある特徴の視覚的な作用の情報は、フィルム上のデジタルメタデータとして含まれる。１つの例では、視覚的な作用（ＶＦＸ）の情報は、１つのバックグランドプレート、１つのフォアグランドプレート及び２つのショット当たりのキャラクタ（たとえばショット当たり４つの重ね合わせられた画像）の平均による５０％の視覚的な作用のショットを含む。記憶すべき画像の全体の数は、終了された動画の画像が単独であった場合の３．５倍である（すなわち、終了された動画の画像の７の１／２倍）。ファクタ７は、アーカイブに以下の画像を収集することで表現される。
【００２６】
・５０％の非ＶＦＸ（ｖｉｓｕａｌ  ｅｆｆｅｃｔ）のＯＣＮ（ｏｒｉｇｉｎａｌ  ｃｉｎｅｍａｔｉｃ  ｎｅｇａｔｉｖｅ）→画像終了された画像の１＊１／２。  
・５０％のＶＦＸに関連する原画像→終了された動画４＊１／２。  
・色補正及びポストプロダクション後の１００％の終了された動画自身（ＶＦＸ及び非ＶＦＸ関連される最終画像の集合）→終了された動画の２＊１／２。
【００２７】
したがって、フィルムのフレーム当たり３色を記憶可能なＩＰに基づいたソリューションのケースで、パーツの数は、１２リール（動画の期待される長さ）＊３．５（上記から）＝４２パーツになることが期待される。３色のリールについてＹＣＭベースの黒と白の分離のケースで、これを３＊４２＝１２６パーツに比較する。１２６パーツは、実用的ではない。したがって、ＩＰベースのソリューションは、アーカイブされたマテリアルの実用的な扱いを可能にするため、ＹＣＭソリューションより好まれる。
【００２８】
メタデータ記述子（たとえばＸＭＬ規格に基づく）及び他のデータは、フィルムメディアに追加される。
【００２９】
図２を参照して、例示的な実施の形態に係るハイブリッドアナログ／デジタルアプローチを使用してフィルムをアーカイブする方法が例示される。ブロック２０２では、アーカイブは、フィルムから作成される。これは、フィルムのビジュアルイメージを個別のリールに分離するための、（たとえばＹＣＭ又はＩＰ技術といった）従来技術における色分離プロセスを含む。ブロック２０４では、編集判定リスト（ＥＤＬ）又は任意の他のデータは、特徴の適切な分離ポイントを判定するために採用される。特徴は、ブロック２０５で、シーン境界又は他の基準に基づいてＮ個のパーツに分離される。ブロック２０６は、Ｎ個のパーツは、アーカイブセットにおけるリール情報を含むために調節される。それぞれのパーツは、フィルムのその部分について、終了された画像、その部分のメタデータ、色成分等を含む場合がある。
【００３０】
ブロック２０６で形成されたアーカイブは、単一のフィルムパーツに組み込まれるか統合されるリールからの複数のパーツを含む。新たなアーカイブされたリールコンテンツは、人間が読取り可能なヘッド（たとえば英語で）、マシン読取り可能なヘッド（たとえば無線周波識別子（ＲＦＩＤ））、ハイブリッドアーカイブのシーケンス及び人間が読取り可能なテイルのうちの１つ以上を含む。ハイブリッドアーカイブのシーケンスは、特徴の完全なレコードを提供するため、たとえば、色成分画像、メタデータ、ＶＦＸデータ、色補正データ等を含む画像の系列を含む。ハイブリッドアーカイブは、従来技術におけるような単一の成分画像とは対照的に、終了された画像、ネガティブ、色成分、及びアナログ／デジタル情報の他の組み合わせを含む画像の系列を含む。
【００３１】
１実施の形態では、人間が読取り可能なヘッダは、約１０フィートよりも短い全体の長さを有する。人間が読取り可能なヘッドは、データ編成オプションを含む（たとえば、光化学リールのみ（色分離されたリール）であって音声が供給されない場合にＮ＝１であり、例示的な最大としてＮ＝１０２４である）。ハイブリッドのアーカイブの数Ｎは、組織化のオプションに依存して任意の他の値をとることができる。人間の読取り可能なヘッドは、Ｎの値（特徴におけるパーツの数）、ラベル情報、ＤＰＸ（Ｄｉｇｉｔａｌ  Ｐｉｃｔｕｒｅ  Ｅｘｃｈａｎｇｅ）仕様（これは、ハイブリッドアーカイブについて無関係な場合がある）、チャネル符号化仕様（データ編成及び符号化を含む）、アーカイブマップを含む。また、サーチ目的で、又は特定の画像系列の視覚的な識別子を形成するために使用されるプロキシ画像を含む（すなわち、１つの例では、プロキシデータフレーム当たり１４４画像で、５０のプロキシデータフレームが７２００の原画像について作成される）。
【００３２】
ラベル情報（Ｌａｂｅｌ  Ｉｎｆｏ）は、プロジェクトタイトル、バージョン、コピーナンバー、アーカイブデート（デートアーカイブが作成される）、権利オーナ（たとえばｌａｂアクセス権）、アーカイブ部分（たとえばＮ個のパーツのうちのパーツＸ）、フレーム数、対応するフィルムリール、ＵＭＩＤ（Ｕｎｉｑｕｅ  Ｍａｔｅｒｉａｌ  ＩＤｅｎｔｉｆｉｅｒ）を含む。
【００３３】
ブロック２０８では、データ編制オプションが選択される。なお、ブロック２０６及び２０８は、アプリケーション及び利用可能な情報に依存する任意の順序で実行される。幾つかのデータ編制オプションは、個々に選択され、結合される場合がある。以下の説明は、１）アナログフィルムのアーカイブのために現在使用される方法、２）デジタルインターメディエート、及び３）本発明に係るハイブリッドデータ編制を含む。
【００３４】
１）現在のアナログフィルムアーカイブのデータ編制（光化学の保存）：  
ＹＣＭ分離：それぞれの色成分について１つの個別のロール。オリジナルのカラーリール当たり３つの黒と白のロール。音声は、ＰｒｏｔｏｏｌｓＴＭとしてハードディスクに個別にデジタルで保持される。“ＷＡＶ”形式によりＭａｇで起こる。
【００３５】
１つのポジティブ（ＩＰ）アーカイバル：１対１で、音声はＰｒｏｔｏｏｌｓＴＭとしてハードディスクで個別にデジタルに保持される。１つのアナログサウンドトラックは、１つのポジティブなプリントで記憶される。
【００３６】
２）デジタルインターメディエート：
ａ．ＹＣＭ分離デジタル等価（ＹＣＭ  Ｓｅｐａｒａｔｉｏｎ  Ｄｉｇｉｔａｌ  Ｅｑｕｉｐｍｅｎｔ）。
【００３７】
ｂ．分離されたエレメント（ＳＥ）ネガティブ（分離されたエレメント、１つの単一のフィルムストリップに記憶され、１フレームＹ、１フレームＣ、１フレームＭ、次のカラーフレーム等）。
【００３８】
ｃ．インターメディエートポジティブ（Ｉｎｔｅｒｍｅｄｉａｔｅ  Ｐｏｓｉｔｉｖｅ）アーカイバルデジタル等価（Ａｒｃｈｉｖａｌ  Ｄｉｇｉｔａｌ  Ｅｑｕｉｐｍｅｎｔ）  
ｄ．デジタルインターメディエート（ＤＩ）ロードマップ。
【００３９】
３）ハイブリッドソリューション：  
たとえば、アナログフィルムに付属されるか、アナログフィルムと統合された視覚的な効果情報、音声、サブタイトル、カラースペース、ＣＤＬ、ＥＤＬ等を含むメタデータによるアナログプラスデジタルインターメディエート。
【００４０】
ハイブリッドアーカイブの系列は、１以上の以下のデータ編制方法を含む場合がある。以下の方法は、例示的な目的のためであることを理解されたい。当業者であれば、本発明に従って他のデータ編制方法が利用される場合があることが理解される。
【００４１】
デジタルデータ編制は、以下を含む。１）サウンドトラックスペースはデジタルデータのために使用される（これは、おそらく１００Ｋバイト／フレーム以下に制限される）。２）ヘッダに後続する全てのデジタルデータ関連フレームは、アナログ画像の前に配置され、ショット毎に含まれる場合がある。
【００４２】
アナログ画像編制は、以下を含む。
【００４３】
１）アナログ画像がＳＥモードで（画像毎に）記憶される場合、順序は、単一のショット又はパーツ当たり、以下を含む。
【００４４】
ａ）バックグランドプレートＹ、次いでＣ、次いでＭ。  
ｂ）フォアグランドプレートＹ、次いでＣ、次いでＭ。  
ｃ）キャラクタ１：Ｙ、次いでＣ、次いでＭ。  
ｄ）キャラクタ２：Ｙ、次いでＣ、次いでＭ。
【００４５】
２）代替は、ショット毎（パーツ毎）である。  
ｅ）全てのバックグランドプレートは、Ｙ、次いでＣ、次いでＭを画像形成する。  
ｆ）全てのフォアグランドプレートは、Ｙ、次いでＣ、次いでＭを画像形成する。  
ｇ）全てのキャラクタ１は、Ｙ、次いでＣ、次いでＭを画像形成する。  
ｈ）全てのキャラクタ２は、Ｙ、次いでＣ、次いでＭを画像形成する。  
図３を参照して、本発明の原理に係るフィルムをアーカイブするシステム３００が例示的に示される。システム３００は、複数の異なるフィルム編集装置を含む。図示される実施の形態では、編集装置３０２は、アーカイブされたフィルム又は新たなフィルムを含む、記憶されるアナログ特性３０１を、フィルム／ランタイム、シーン等の長さのうちの１つに基づいてＮ個の部分に分割するために構成される。編集装置３０２は、自動的に、分割ポイントを選択し、ディレクタ又は他の編集情報（ＥＤＬ）を使用するか、ユーザは、特性を分離するために分割ポイントを手動で選択する。（Ｎ個のパーツについて）分離又は分割ポイントは、フィルムのレングス及び／又はフィルムのランタイム等のような予め決定された基準に基づいて選択される。スプライス又は結合装置３０４は、特徴をアーカイブするハイブリッド方法でアナログ及びデジタル情報を統合するために構成される。１実施の形態では、これは、フィルムがアーカイバルストレージのその部分の単一のメディアのフィルムの全体のレコードを表すアナログ及びデジタルデータのハイブリッド３１０を含むように、Ｎ個のパーツのそれぞれについて色成分画像の全てをフィルムのその部分のデジタルメタデータと加算することを含む。
【００４６】
フィルムのリール３１２は、色成分画像からの個別のエリアにおけるリールで保持されるデジタル及びアナログデータのハイブリッド系列を含む。ハイブリッドの結合は、前もって選択されたデータ編制スキームに従って編制される。デジタルメタデータ３１６は、音声、サブタイトル、キャプショニング、編集判定リスト（ＥＤＬ）、色空間、色判定リスト（ＣＤＬ）、視覚効果に関連する情報、及び他のフィルムに関連する情報を含む。
【００４７】
好ましくは、メタデータ３１６は、フィルムのそのパーツの情報の完全なセットを含む。１実施の形態では、アーカイブされる特徴３１０は、複数のリール３１２を含み、それぞれのリールは、その部分に対応する複数の色成分の部分Ｙ，Ｃ，Ｍのそれぞれ、その部分に対応するメタデータ３１６を含む。色成分３１１及びメタデータ３１６は、その部分の全ての色成分及びその部分の全てのメタデータが同じリール３１２に含まれるように、その部分についてデータ編制方法に従って含まれる。それぞれのリールの他の部分は、更なる情報、及び／又はそのリール３１２のためのデータを含むヘッダ３２０及びテイル部分３２２を含む。
【００４８】
（例示的であることが意図され、限定するものではない）フィルムのアナログ／デジタルハイブリッドデータのためのアーカイバルエレメントの編制のシステム及び方法の好適な実施の形態が記載されたが、先の教示に照らして当業者により変更及び変形が行われる。したがって、特許請求の範囲により概説されるように、本発明の範囲及び精神内で開示される本発明の特定の実施の形態で変形が行われることを理解されたい。本発明を詳細に記載し、特許法により保護される権利範囲は特許請求の範囲に記載される。
【図面の簡単な説明】
【００４９】
【図１】１実施の形態に係るフィルムをアーカイブする例示的な方法のフローチャートである。
【図２】フィルムをアーカイブする別の例示的な実施の形態のフローチャートである。
【図３】別の例示的な実施の形態に係るフィルムをアーカイブするシステム／方法を示すブロック図である。
【図１】
2008544695.tif 000003
【図２】
2008544695.tif 000004
【図３】
2008544695.tif 000005
【国際調査報告】
2008544695.tif 000006
2008544695.tif 000007
2008544695.tif 000008